(57)【要約】【課題】  デジタルカメラやデジタルビデオカメラが解像度特性、階調ドット数、画像サンプリング条件等、テレビの属性に適合した撮影条件でデータを取得することにより、テレビの表示性能を十分発揮する。【解決手段】  テレビ受信機１は、自らの属性を示す表示デバイスファイルを作成し、作成した表示デバイスファイルをメモリカード３５に転送する。デジタルカメラ３４は、メモリカード３５内の表示デバイスファイルに基づいて、撮影処理に係る撮影条件を制御する。【選択図】  図１
2005039737.tif 000002
【特許請求の範囲】
【請求項１】
画像データ及び音声データの少なくとも何れか一方のデータを撮影処理により取得する撮影装置と、前記データの出力処理を行う出力装置とを有する撮影システムであって、
前記出力装置は、
前記出力装置の属性を示す出力装置情報を作成する作成手段と、
前記作成手段により作成された前記出力装置情報を記録媒体に転送する転送手段とを有し、
前記撮影装置は、
前記記録媒体内の前記出力装置情報に基づいて、撮影処理に係る撮影条件を制御する撮影条件制御手段を有することを特徴とする撮影システム。
【請求項２】
前記出力装置情報により示される前記出力装置の属性として、前記出力装置のデータ表示性能に係る属性を含み、前記出力装置のデータ表示性能に係る属性として、前記出力装置の階調数、解像度、映像サンプリング方式、画素数及びＯＳＤ表示語のうちの少なくとも何れか１つの属性を含むことを特徴とする請求項１に記載の撮影システム。
【請求項３】
前記出力装置情報により示される前記出力装置の属性として、前記出力装置のデコード性能に係る属性を含み、前記出力装置のデコード性能に係る属性として、前記出力装置の画像圧縮及び音声圧縮の少なくとも何れか１つの属性を含むことを特徴とする請求項１に記載の撮影システム。
【請求項４】
前記出力装置は、リモートコントロール装置から所定の信号を受信することにより、前記データの出力処理を実行することを特徴とする請求項１に記載の撮影システム。
【請求項５】
前記撮像装置は、
前記制御された撮影条件の撮影処理により取得した前記データとともに、前記出力装置の識別情報を前記記録媒体に記録し、
前記出力装置は、
前記記録媒体に記録された前記出力装置の識別情報に基づいて、前記データが当該出力装置用のデータであることを判断することにより、前記データの出力処理を実行することを特徴とする請求項１に記載の撮影システム。
【請求項６】
前記出力装置情報は、前記出力装置のアドレス情報を含み、前記撮像装置は、前記制御された撮影条件の撮影処理により取得した前記データを、前記アドレス情報に基づいて通信回線を介して前記出力装置に送信することを特徴とする請求項１に記載の撮影システム。
【請求項７】
前記撮像装置は、
前記制御された撮影条件の撮影処理により取得した前記データとともに、前記出力装置の識別情報を前記出力装置に対して送信し、
前記出力装置は、
前記出力装置の識別情報に基づいて、前記データが当該出力装置用のデータであることを判断することにより、前記データの出力処理を実行することを特徴とする請求項６に記載の撮影システム。
【請求項８】
前記撮像装置は、
複数種のデータ圧縮手段と、
前記複数種のデータ圧縮手段の切り替え制御を行う切り替え手段とを更に有し、
前記出力装置情報により示される前記出力装置の属性として、前記出力装置により実行可能なデータ圧縮方式を含み、前記切り替え手段は、前記データ圧縮方式に対応するデータ圧縮手段に切り替え、前記切り替えられたデータ圧縮手段により、撮影処理により取得された前記データに対するデータ圧縮処理を行うことを特徴とする請求項１に記載の撮影システム。
【請求項９】
前記出力装置は、
データ出力処理の前段において、入力データをデータ出力用フォーマットに変換するフォーマット変換手段を更に有し、
前記撮像装置から前記データを受け取り、前記フォーマット変換手段を介して前記データを出力する際には、テレビ信号の前記フォーマット変換手段への入力を禁止することを特徴とする請求項１に記載の撮影システム。
【請求項１０】
前記出力装置は、前記画像データ取得時における前記画像データの階調ビット数を更に受信し、前記階調ビット数に応じて、前記画像データをメモリ内の静止画プレーン又は動画プレーンに書き込むことを特徴とする請求項６に記載の撮影システム。
【請求項１１】
前記転送手段は、無線通信方式により前記出力装置情報を前記記録媒体に対して転送することを特徴とする請求項１に記載の撮影システム。
【請求項１２】
画像データ及び音声データの少なくとも何れか一方のデータを撮影処理により取得する撮影装置であって、
記録媒体に記録された前記データの出力処理を行う出力装置の属性を示す出力装置情報に基づいて、撮影処理に係る撮影条件を制御する撮影条件制御手段を有することを特徴とする撮影装置。
【請求項１３】
前記出力装置情報により示される前記出力装置の属性として、前記出力装置のデータ表示性能に係る属性を含み、前記出力装置のデータ表示性能に係る属性として、前記出力装置の階調数、解像度、映像サンプリング方式、画素数及びＯＳＤ表示語のうちの少なくとも何れか１つの属性を含むことを特徴とする請求項１２に記載の撮影装置。
【請求項１４】
前記出力装置情報により示される前記出力装置の属性として、前記出力装置のデコード性能に係る属性を含み、前記出力装置のデコード性能に係る属性として、前記出力装置の画像圧縮及び音声圧縮の少なくとも何れか１つの属性を含むことを特徴とする請求項１２に記載の撮影装置。
【請求項１５】
前記撮影条件制御手段により制御された撮影条件の撮影処理により取得した前記データとともに、前記出力装置の識別情報を前記記録媒体に記録することを特徴とする請求項１２に記載の撮影装置。
【請求項１６】
前記撮影条件制御手段により制御された撮影条件の撮影処理により取得した前記データを、前記出力装置情報に含まれるアドレス情報に基づいて通信回線を介して前記出力装置に送信することを特徴とする請求項１２に記載の撮影装置。
【請求項１７】
前記撮影条件制御手段により制御された撮影条件の撮影処理により取得した前記データとともに、前記出力装置の識別情報を前記出力装置に対して送信することを特徴とする請求項１６に記載の撮影装置。
【請求項１８】
複数種のデータ圧縮手段と、
前記複数種のデータ圧縮手段の切り替え制御を行う切り替え手段とを更に有し、
前記出力装置情報により示される前記出力装置の属性として、前記出力装置により実行可能なデータ圧縮方式を含み、前記切り替え手段は、前記データ圧縮方式に対応するデータ圧縮手段に切り替え、前記切り替えられたデータ圧縮手段により、撮影処理により取得された前記データに対するデータ圧縮処理を行うことを特徴とする請求項１２に記載の撮影装置。
【請求項１９】
前記転送手段は、無線通信方式により前記出力装置情報を前記記録媒体に対して転送することを特徴とする請求項１２に記載の撮影装置。
【請求項２０】
撮影装置の撮影処理によって取得された画像データ及び音声データの少なくとも何れか一方のデータの出力処理を行う出力装置であって、
前記出力装置の属性を示す出力装置情報を作成する作成手段と、
前記出力装置情報に基づいて撮影処理に係る撮影条件を前記撮影装置において制御させるべく、前記作成手段により作成された前記出力装置情報を記録媒体に転送する転送手段とを有することを特徴とする出力装置。
【請求項２１】
前記出力装置情報により示される前記出力装置の属性として、前記出力装置のデータ表示性能に係る属性を含み、前記出力装置のデータ表示性能に係る属性として、前記出力装置の階調数、解像度、映像サンプリング方式、画素数及びＯＳＤ表示語のうちの少なくとも何れか１つの属性を含むことを特徴とする請求項２０に記載の出力装置。
【請求項２２】
前記出力装置情報により示される前記出力装置の属性として、前記出力装置のデコード性能に係る属性を含み、前記出力装置のデコード性能に係る属性として、前記出力装置の画像圧縮及び音声圧縮の少なくとも何れか１つの属性を含むことを特徴とする請求項２０に記載の出力装置。
【請求項２３】
リモートコントロール装置から所定の信号を受信することにより、前記データの出力処理を実行することを特徴とする請求項２０に記載の出力装置。
【請求項２４】
前記記録媒体内に更に記録された前記出力装置の識別情報に基づいて、前記データが当該出力装置用のデータであることを判断した後、前記データの出力処理を実行することを特徴とする請求項２０に記載の出力装置。
【請求項２５】
当該出力装置の識別情報を前記撮影装置から更に受信し、当該出力装置の識別情報に基づいて、前記データが当該出力装置用のデータであることを判断した後、前記データの出力処理を実行することを特徴とする請求項２０に記載の出力装置。
【請求項２６】
データ出力処理の前段において、入力データをデータ出力用フォーマットに変換するフォーマット変換手段を更に有し、
前記撮像装置から前記データを受け取り、前記フォーマット変換手段を介して前記データを出力する際には、テレビ信号の前記フォーマット変換手段への入力を禁止することを特徴とする請求項２０に記載の出力装置。
【請求項２７】
前記画像データ取得時における前記画像データの階調ビット数を前記撮影装置から更に受信し、前記階調ビット数に応じて、前記画像データをメモリ内の静止画プレーン又は動画プレーンに書き込むことを特徴とする請求項２０に記載の出力装置。
【請求項２８】
画像データ及び音声データの少なくとも何れか一方のデータを撮影処理により取得する撮影装置の制御方法であって、
記録媒体に記録された前記データの出力処理を行う出力装置の属性を示す出力装置情報に基づいて、撮影処理に係る撮影条件を制御することを特徴とする制御方法。
【請求項２９】
撮影装置の撮影処理によって取得された画像データ及び音声データの少なくとも何れか一方のデータの出力処理を行う出力装置の制御方法であって、
前記出力装置の属性を示す出力装置情報を作成し、
前記出力装置情報に基づいて撮影処理に係る撮影条件を前記撮影装置において制御させるべく、前記作成した前記出力装置情報を記録媒体に転送することを特徴とする制御方法。
【請求項３０】
請求項２８に記載の撮影装置の制御方法をコンピュータに実行させるためのプログラム。
【請求項３１】
請求項２９に記載の出力装置の制御方法をコンピュータに実行させるためのプログラム。
【請求項３２】
請求項３０又は３１に記載のプログラムを記録したコンピュータ読み取り可能な記録媒体。
【発明の詳細な説明】
【技術分野】
【０００１】
本発明は、例えば、撮影装置（デジタルカメラ等）で撮影された画像データをテレビ受信機等の出力装置において出力させる技術に関するものである。
【背景技術】
【０００２】
近年、デジタル映像、音声情報とデータ放送情報（静止画データ含む）を重畳させて送信し、映像、音声と同期させてデータを表示させることが可能なデジタル放送システムが実現してきた。
【０００３】
例を挙げれば、日本のＢＳデジタル放送では、ＭＰＥＧ−２トランスポートストリーム内に圧縮したデジタル映像、音声のストリームをパケット化し、放送している。さらにデータ表示用の静止画データ、たとえば、広告データをＪＰＥＧ圧縮してパケット化し、カルーセル方式にて繰り返し送信する。
【０００４】
テレビ受信機は、それらパケット化された各データを映像、音声、データ（静止画データ含む）にそれぞれ分離し、映像、音声データをデコード（ＭＰＥＧ−２）し、表示し、音声を再生する。
【０００５】
またデータ（静止画データ）は、そのデータに応じて、デコード(ＪＰＥＧ、ＰＮＧ、ＭＮＧなど)し、表示や音声出力処理を行う。また、テレビ受信機に用いられる表示デバイスも近年表示解像度が１２８０×７２０以上のハイビジョン対応のプラズマテレビが製品化され、その解像度、ビット/画素値も多様化している。
【０００６】
一方、カメラも従来の銀塩写真からデジタル画像を取り込むデジタルカメラが実用化されてきており、取り込んだ画像をデジタルデータとして半導体メモリ等のメディアに記憶させそのメディアを自由に持ち運び、パソコン等に入力し、表示、印刷することが可能になっている。
【０００７】
また、さらにそれら写した写真データには、そのときの撮影日時、撮影したデジタルカメラの機種、メーカ、写真サイズ、撮影条件等も同時に記憶することができる。さらにGPS等の受信装置を内蔵したデジタルカメラでは、撮影した位置を記憶させることも可能になる。そして、これら撮影した、データは、記憶メディアを介してテレビ受像機に入力し、蓄え、表示、印刷させることが可能になっている。
【０００８】
【特許文献１】特開２０００−６６３１２号公報
【発明の開示】
【発明が解決しようとする課題】
【０００９】
しかしながら、上述したデジタル放送を受信できる高機能なテレビを用いてデジタルカメラ等のデジタル画像データを表示させるシステムにおいて、特許文献１に記載されているように撮影情報の一部に関連する付加情報を画像の一部として表示する発明は存在するが、テレビに使用する表示デバイスの解像度特性や、階調ビット数、画像サンプリング条件に応じて、撮影条件を変更して撮影できるデジタルカメラやデジタルビデオカメラがないために、テレビの表示性能を十分に発揮できずに表示を行っている。
【００１０】
本発明は、上記問題点に鑑みてなされたものであり、デジタルカメラやデジタルビデオカメラが解像度特性、階調ドット数、画像サンプリング条件等、テレビの属性に適合した撮影条件でデータを取得することにより、テレビの表示性能を十分発揮することを目的とする。
【課題を解決するための手段】
【００１１】
斯かる目的を達成するために、本発明の撮影システムは、画像データ及び音声データの少なくとも何れか一方のデータを撮影処理により取得する撮影装置と、前記データの出力処理を行う出力装置とを有する撮影システムであって、前記出力装置は、前記出力装置の属性を示す出力装置情報を作成する作成手段と、前記作成手段により作成された前記出力装置情報を記録媒体に転送する転送手段とを有し、前記撮影装置は、前記記録媒体内の前記出力装置情報に基づいて、撮影処理に係る撮影条件を制御する撮影条件制御手段を有することを特徴とする。
【００１２】
また、本発明の撮影装置は、画像データ及び音声データの少なくとも何れか一方のデータを撮影処理により取得する撮影装置であって、記録媒体に記録された前記データの出力処理を行う出力装置の属性を示す出力装置情報に基づいて、撮影処理に係る撮影条件を制御する撮影条件制御手段を有することを特徴とする。
【００１３】
また、本発明の出力装置は、撮影装置の撮影処理によって取得された画像データ及び音声データの少なくとも何れか一方のデータの出力処理を行う出力装置であって、前記出力装置の属性を示す出力装置情報を作成する作成手段と、前記出力装置情報に基づいて撮影処理に係る撮影条件を前記撮影装置において制御させるべく、前記作成手段により作成された前記出力装置情報を記録媒体に転送する転送手段とを有することを特徴とする。
【００１４】
また、本発明の制御方法は、画像データ及び音声データの少なくとも何れか一方のデータを撮影処理により取得する撮影装置の制御方法であって、記録媒体に記録された前記データの出力処理を行う出力装置の属性を示す出力装置情報に基づいて、撮影処理に係る撮影条件を制御することを特徴とする。
【００１５】
また、本発明の制御方法は、撮影装置の撮影処理によって取得された画像データ及び音声データの少なくとも何れか一方のデータの出力処理を行う出力装置の制御方法であって、前記出力装置の属性を示す出力装置情報を作成し、前記出力装置情報に基づいて撮影処理に係る撮影条件を前記撮影装置において制御させるべく、前記作成した前記出力装置情報を記録媒体に転送することを特徴とする。
【発明の効果】
【００１６】
本発明によれば、撮影装置は出力装置の属性を示す出力装置情報に基づいて、撮影処理に係る撮影条件を制御するように構成したので、撮影装置は解像度特性、階調ドット数、画像サンプリング条件等、出力装置の属性に適合した撮影条件でデータを取得することが可能となり、取得したデータを出力装置に出力させる上でその性能を十分発揮することができる。
【発明を実施するための最良の形態】
【００１７】
以下、本発明を適用した好適な実施形態を、添付図面を参照しながら詳細に説明する。
図１は、本発明の一実施形態に係る撮影システムの構成を示したブロック図である。先ず、図１の各ブロックの説明を行う。
【００１８】
１は、本実施形態に係るテレビ受信機または、パーソナルコンピュータ（以下では、テレビ受信機１）である。２は、テレビ受信機１に接続される放送電波を受信するための衛星放送もしくは、地上波のテレビ信号を受信するアンテナである。３は、アンテナ２で受信したテレビ信号をデジタル信号に変換し、変調された圧縮映像、音声を復調しＭＰＥＧ−２トランスポートストリーム（圧縮された映像、音声、データ等が複数本パケット化され混在しているストリーム）に変換するチューナである。
【００１９】
４は、テレビ受信機１の中で静止画データや各種制御データを転送するバスである。５は、受信したトランスポートストリームの中から、圧縮映像、圧縮音声、データ放送の各パケットを分離させる部分であるデマルチプレクサである。
【００２０】
６は、デマルチプレクサ５で分離された圧縮映像信号をデコードしたり、圧縮された音声データをデコードするＡＶデコーダである。７は、ＡＶデコーダ６からの映像データの表示フォーマット（画素数、フレーム周波数、走査方式）を変換したり、ＣＰＵ１０からバス４を介して転送される静止画データをプレーン管理して描画し、ＡＶデコーダ６からの映像データと重ね合わせるグラフィック処理部である。
【００２１】
８は、表示デバイス９に表示する映像データや静止画データを格納するためのビデオメモリである。９は、映像データを表示し、テレビ放送音声を出力するスピーカを持つ表示デバイスである。１０は、テレビ受信機１全体を制御するＣＰＵであり、ソフトウェアデーコードで圧縮された静止画データのデコードも行うとともに、プログラムの実行や一時的なデータ保持用のＲＡＭを含んでいる。
【００２２】
１１は、ＣＰＵ１０用のプログラムや表示デバイスの情報を保持しておく書き換え可能な、フラッシュＲＯＭである。１２は、メモリカード３５のデータをＣＰＵ１０に転送するためのカードインタフェースである。１３は、デジタル放送データや、撮影データを記憶する蓄積部でありハードディスクドライブでも、ＤＶＤ−ＲＡＭでも、半導体メモリでも良い。
【００２３】
１４は、リモコン１５の赤外線データを受信し、電気信号に変換する赤外受光部、１５は、表示デバイス９を見ながらユーザがグラフィカルな表示ボタンを選択したり、テレビのチャンネル選択を行うリモコンである。
【００２４】
１６は、インターネット１７からテレビ受像機１内にデータを受信するためのモデムルータである。このモデムルータ１６は、インターネット１７に接続するインフラによって変わる。たとえば、ケーブルであればケーブルモデムルータであり、電話回線を利用したＡＤＳＬであれば、ＡＤＳＬのモデムルータである。
【００２５】
３４は、デジタルカメラもしくは、デジタルビデオカメラである（以下では、デジタルカメラ３４）。２０は、撮影対象物からの光を受け取るレンズ、２１は、光を電気信号に変換する撮像素子（例えば、ＣＣＤ）、２２は、ＣＣＤ２１からの電気信号の利得を調整する利得調整、２３は、電気信号（アナログ）をデジタル信号に変換するＡ／Ｄ変換器、２４は、Ａ／Ｄ変換されたデジタルデータを一時的に保存するＲＡＭ、２５は、ＲＡＭ２４に保存されたデジタルデータをＣＰＵ２８の指示により圧縮するエンコーダである。
【００２６】
このエンコーダ２５は、複数の圧縮ハードエンジンで構成されていても良いし、メディアプロセッサのようにソフトウェアで圧縮しても良い。その場合のソフトウェアは、フラッシュＲＯＭ２９に格納されている。また、このプログラムは、ＣＰＵ２８の指示によりインターネット１７からモデム３３を介して入力しても良い。
【００２７】
２６は、撮影されたデジタル映像（ＲＡＭ２４に格納されている）や、ＣＰＵ２８が描画する表示データを表示デバイス２７に表示するためのグラフィックコントローラである。表示用のビデオメモリは、ＲＡＭ２４と兼用する。２７は、表示デバイスであり、液晶表示器でもEL素子でも良い。２８は、デジタルカメラ３４全体を制御するシステムＣＰＵである。２９は、テレビ受信機１からの表示デバイスファイルデータ、圧縮ソフトウェアを格納したり、システム全体のプログラムを格納するフラッシュＲＯＭである。
【００２８】
３０は、メモリカード３５に撮影した画像、音声ファイル、後述する自動表示ファイル等を格納するためのカードインタフェース、３１は、ユーザが操作するコンソール３２の操作データを受け取るシリアルインタフェース、３３は、撮影したデータをインターネット１７に送信するためのモデムである。
【００２９】
３５は、テレビ受信機１とデジタルカメラ３４間でデータを交換するために必要なメモリカードであり、例えば、半導体メモリ、ハードディスクメモリ、フレキシブルディスク（Ｒ）、ＭＯ、ＣＤ，ＤＶＤ等の光学系メモリを適用することができる。３６は、音声を取り込むためのマイクである。３７は、撮影するトリガとなるシャッタ、３８は、撮影する対象物、撮影条件を確認するファインダである。
【００３０】
以下、上記各ブロックの符号と照らし合わせて本実施形態の撮影システムの動作を説明する。
[表示デバイス情報の登録方法]
まず、はじめにテレビ受信機１が使用する表示デバイス情報をメモリカード３５に記憶させる方法に関して説明する。図２にその動作のフローチャートを示す。
【００３１】
テレビ受信機１のＣＰＵ１０は、カードインタフェース１２の状態を検知し、メモリカード３５が挿入されていることを確認する（ステップＳ３０１）。確認後、ＣＰＵ１０は、バス４を介してグラフィック処理部７に表示デバイス登録画面データを送る。グラフィック処理部は、ビデオメモリ８にそのデータを書き込み、適切なタイミングでそのデータを表示デバイス９に出力する（ステップＳ３０２）。表示デバイス９上の登録画面表示例を図３に示す。
【００３２】
図３に示すように、表示デバイス登録を行う内容が表示されリモコン１５（図７）の上下左右操作ボタン４０５を用いて"はい"４０２の位置にフォーカスを移動させる。フォーカス移動の動作を図１で説明すると、４０５の押されたボタンコードがリモコン１５から赤外受光部インタフェース１４で受け取られＣＰＵ１０に送られる。ＣＰＵ１０は、そのコード（上下左右）を認識し、そのコードに応じてフォーカス映像を移動させた描画データをグラフィック処理部７に送りビデオメモリ８に書かれる。ビデオメモリ８のデータは、表示デバイス９に転送されユーザに表示される。
【００３３】
次に選択ボタン４０６を押すことによりＣＰＵ１０は、ユーザが登録決定をしたことを知る（ステップＳ３０３）。ＣＰＵ１０は、図３に表示されている内容のデータをフラッシュＲＯＭ１１から読み出し、ＣＰＵ１０内のＲＡＭに格納する（ステップＳ３０４）。次にＣＰＵ１０は、図４に示す画面を表示させ、他の登録情報を登録するかを問い合わせる。ここでは、テレビ受信機１のＩＰアドレス情報、デコードできる圧縮符号化フォーマット情報、ＯＳＤ表示する場合の表示語情報である。
【００３４】
ユーザは、リモコン１５により"はい"４０４の部分にフォーカスを移動させ、選択キー４０６で決定する（ステップＳ３０５）。同様に、ＣＰＵ１０は、図４に表示されている内容のデータをフラッシュＲＯＭ１１から読み出し、ＣＰＵ１０内のＲＡＭに格納する（ステップＳ３０６）。次に、ＣＰＵ１０は、自動表示（テレビやパソコンで最適な表示状態を自動的に行う表示のこと）をテレビ受信機１で行う場合に使用するリモコンキーの設定を行う（ステップＳ３０７）。図５にその登録画面表示例を示す。
【００３５】
ユーザは登録したいリモコンキーを押しつづける（ステップＳ３０８）。ＣＰＵ１０は、同じリモコンボタンコードをある時間（ここでは１０秒）受信した場合、そのコードをＣＰＵ１０内のＲＡＭに記録する。このリモコン登録は、１つでなくてもよく、複数ある場合はその分だけ登録が可能である。
【００３６】
最後に、ＣＰＵ１０は、ソフトキーボード４０９を表示させ、表示デバイス名登録画面を表示させる。図６にその登録画面表示例を示す。ユーザはリモコンボタン４０５を用いてキーボードボタン４０９のフォーカスを移動させ、選択キー４０６で文字を決定していく。すべての文字入力が終了した後、"決定"４１０にフォーカス移動し選択ボタン４０６を押す（ステップＳ３０９）。
【００３７】
ＣＰＵ１０は、ＣＰＵ１０内のＲＡＭに一時格納した各表示デバイス情報をまとめて、メモリカード３５の指定ディレクトリにファイルとして書き込む。ファイル構造は、DCFでも、FATでも良い（ステップＳ３１０）。
【００３８】
また、ＣＰＵ１０は、表示デバイス管理ファイル５１１を作成し、その中に表示デバイスファイル数のパラメータと新規に追加した表示デバイスファイルのＩＤ番号を書き込み、DISPINFOディレクトリの下に配置する。このときテレビ受信機１は、そのＩＤ番号をフラッシュＲＯＭ１１に格納し、後に受け取った撮影データが自分の表示デバイス用なのかを判断し、自分の表示デバイス用であると判断すると当該撮影データの表示処理を実行する。また、表示デバイスファイルを消去したい場合も、この格納されたＩＤ番号に対応する表示デバイスファイルをメモリカード３５から消去する。
【００３９】
図８に、メモリカード３５に書き込まれた表示デバイスファイルのディレクトリ構成を示す。５０１は、メモリカード３５のルートディレクトリである。そのディレクトリの下にDCIM５０２とDISPINFO５０７のディレクトリがあり、DCIM５０２の下には、いくつかのサブディレクトリ５０３、５０４、５０５があり、各サブディレクトリの下には、デジタルカメラ３４で撮影された映像・音声データ(画像ファイル５０６)が格納されている。
【００４０】
一方、表示デバイスの各情報ファイル５０８、５０９、５１０は、DISPINFOディレクトリ５０７の下に格納されている。表示デバイスファイルは、複数存在しても良い。また表示デバイス管理ファイル５１１もDISPINFOディレクトリ５０７の下に格納されている。
【００４１】
図９に表示デバイスファイル構造と表示デバイス管理ファイル構造を示す。表示デバイスファイルおよび表示デバイス管理ファイルは、２つのセクション（HDR、TASK）からなり、各セクションには、複数のパラメータ情報が記述されている。たとえば、本実施形態の表示デバイスファイル例では、HDR（ヘッダ）セクションには、図９に示すようにバージョン情報、ファイル記述子、セクション数、パラメータ数が記述される。また、[TASK]セクションには、表示デバイスファイルを管理識別するＩＤ番号、表示デバイスの画素サンプリング指定（YCrCb）、階調ビット数（R,G,B独立に記述）、表示デバイスＸ，Ｙ方向画素数、Ｘ，Ｙ方向表示解像度、画像・音声圧縮指定、音声指定（ステレオ、モノクロ、デジタル、アナログ）、自動表示リモコンボタンコード、表示デバイス名、ＩＰアドレス、ＯＳＤ表示語である。
【００４２】
各パラメータは、固定長のビットでも、可変長のビット構成でも良いが、あらかじめテレビ受信機１とデジタルカメラ３４間で構成を決めておく。もしくは、バージョン管理で適合する様に各ＣＰＵが調整する。同様に、表示デバイス管理ファイルは、[TASK]セクションの下に、格納されている表示デバイスファイルの数とそのＩＤ番号がすべて書き込まれている。
【００４３】
[表示デバイスファイルに基づく制御フロー]
次に、デジタルカメラ３４が、メモリカード３５内に格納された表示デバイスファイル情報に基づき、撮影条件を制御する実施形態について説明する。図１０と図１１にその動作フローチャートを示す。
【００４４】
まず、デジタルカメラ３４のＣＰＵ２８は、カードインタフェース３０の状態を検知し、メモリカード３５が挿入されていることを確認する（ステップＳ６０１）。
【００４５】
メモリカード３５が検知された後、ＣＰＵ２８は、カードインタフェース３０を介してメモリカード３５内のROOTディレクトリ５０１を探す。その後、ROOTディレクトリ５０１の下のDISPINFOディレクトリ５０７を探す（ステップＳ６０２）。
【００４６】
そして、ＣＰＵ２８がDISPINFO５０７を見つけた場合は、そのディレクトリの下にある、表示デバイスファイルを探す。具体的には、表示デバイス管理ファイルの[TASK]セクションの中の表示デバイスファイル数を読み込み判断する。もし、見つかった場合（ファイル数が１以上）は、そのファイルの中の[HDR]情報を読み込みそのセクション数、パラメータ数に応じて、[TASK]セクションのすべてのパラメータを、フラッシュＲＯＭ２９に格納する（ステップＳ６０３、６０４）。
【００４７】
もし、[HDR]情報内のバージョン情報が、デジタルカメラ３４のものと異なる場合は、ＣＰＵ２８は、グラフィックコントローラ２６を介して表示デバイス２７にバージョンをそろえるメッセージをユーザに表示し、フラッシュＲＯＭ２９にデータを蓄積しなくても良い。または、バージョン情報に基づきフラッシュＲＯＭ２９に格納するデータを制限する。
【００４８】
ＣＰＵ２８は、DISPINFOディレクトリ５０７の下の表示デバイスファイルをすべて読み込んだのを確認する。これは、表示デバイス管理ファイル５１１の中の[TASK]セクションの中の表示デバイスファイル数と同じ分だけフラッシュＲＯＭ２９に記憶できたかを確認すればよい。
【００４９】
次にフラッシュＲＯＭ２９に格納された表示デバイスパラメータに応じて、撮影条件を制御して切り替える実施形態に関して説明する。図１１にその動作フローチャートを示す。また、デジタルカメラ３４の外観構成例を図１２に示す。
【００５０】
まず、ＣＰＵ２８は、コンソール３２−１の状態を検出し、自動表示撮影モードにユーザが設定しているかを検出する（ステップＳ７０１）。ユーザが自動表示撮影モードに設定してある場合は、ＣＰＵ２８は、フラッシュＲＯＭ２９に格納されている表示デバイスファイル情報の中から表示デバイス名を読み出し（ステップＳ７０２）、そのデータをグラフィックコントローラ２６を介して表示デバイス２７に表示する（ステップＳ７０３）。
【００５１】
次に、ＣＰＵ２８は、ユーザが操作するコンソールスイッチ３２−２の動作にあわせて、表示デバイス２７に表示した表示デバイス名のフォーカスを移動させ、所望の表示デバイスを選択する（ステップＳ７０４）。表示デバイス名表示は、ファインダ３８内で表示してもよい。デフォルトのフォーカス位置が希望の表示デバイスである場合は、上記コンソールスイッチの操作は必要ない。
【００５２】
そして、ユーザが撮影を開始し、シャッタ３７を半押しした状態をＣＰＵ２８は検出し、そのときフォーカスが当たっている表示デバイスのデータをＣＰＵ２８は検出する。そして、本実施形態では、選択された表示デバイスに関するデータの中から階調ビット数と、表示デバイスＸ，Ｙ方向の画素数、画素サンプリング指定データを読み出す。
【００５３】
そして、その読み出したデータに基づき、ＣＰＵ２８は、Ａ／Ｄ変換器２３のサンプリングクロックのタイミングとサンプリングビット数とエンコーダ２５の量子化部分を制御する。もし、表示デバイスファイルの階調ビットデータが、通常（RGB各8ビット）より高い場合は、Ａ／Ｄ変換器２３のサンプリングビット数を高くするように制御する。また、画素サンプリングが、Ｙ：Ｃｂ：Ｃｒ＝４：２：２の場合は、Ａ／Ｄ変換器２３の輝度と色差データのサンプリング位置をあわせるように制御し、Ｙ：Ｃｂ：Ｃｒ＝４：２：０の場合は、各輝度サンプリングの中心に色差データのサンプリングが行われるように制御する。
【００５４】
また、表示デバイスのＸ，Ｙ方向の解像度がＶＧＡ（６４０×４８０）程度の低いものであった場合は、Ａ／Ｄ変換器２３のサンプリングクロックを落とし、またエンコーダ２５の圧縮率を高く設定する。逆に、表示デバイスのＸ，Ｙ方向の画素数がＵＧＡ（１６００×１２００）やハイビジョンテレビ（１９２０×１０８０）程度の高いものは、Ａ／Ｄ変換器２３のサンプリングクロックは最大にし、エンコーダの圧縮率はゼロ（非圧縮）もしくは低い値に制御する（ステップＳ７０７）。ＣＰＵ２８は、シャッタ３７が押されたことを確認する（ステップＳ７０８）。
【００５５】
次に、ＣＰＵ２８は、上記制御を行った映像データをメモリカード３５の中に書き込む。このときの撮影画像ファイルは、DCIMディレクトリ５０２の下の100ABCDEディレクトリ５０３の下に適当なファイル名をつけて書き込まれる（ステップＳ７０９）。一方、ＣＰＵ２８は、図１３に示したような、自動表示ファイル５０８を作成し、今撮影し、書き込んだ画像・音声ファイル名、ディレクトリ位置情報を書き込む。また、コンソール３２−１の撮影モード情報、選択した表示デバイスＩＤと表示デバイスに対応する自動表示リモコンボタンコード、撮影した階調ビット数を書き込む（ステップＳ７１０、７１１）。図１３にその自動表示ファイルの構造例を示す。
【００５６】
自動表示ファイルは、１つのヘッダセクション[HDR]と撮影枚数に応じて増える[TASK]セクションに分かれている。[TASK]セクションは、１枚またはファイル時間単位で撮影する毎に増えてゆく。[TASK]セクションのパラメータとして、選択した撮影モード情報、撮影した画像・音声ファイル名、そのディリレクトリ位置情報、表示デバイスＩＤ、自動表示リモコンボタンコード、階調ビット数がある。
【００５７】
[自動表示ファイルに基づく表示最適化方法の実施形態]
次に、デジタルカメラ３４で作成された自動表示ファイルに基づいてテレビ受信機１で表示を最適化する方法について説明する。図１４にその動作フローチャートを示す。
テレビ受信機１のＣＰＵ１０は、カードインタフェース１２の状態を検知し、メモリカード３５が挿入されていることを確認する（ステップＳ８０１）。続いて、ＣＰＵ１０は、メモリカード３５内にDISPINFOディレクトリがあるかを調べる（ステップＳ８０２）。
【００５８】
もしなければ、ＣＰＵ１０は、DCIMディレクトリ５０２の下にあるディレクトリ５０３、５０４、５０５の下にある、画像・音声ファイルを順次読み出し（ステップＳ８１０）、ＣＰＵ１０でデコードを行いその画像データを、グラフィック処理部７に送る（ステップＳ８１１）。グラフィック処理部７の内部構成を図１５に示す。
【００５９】
バス４を介して転送された画像データは、バス制御部１０５のタイミングにあわせてグラフィック描画部１０２に送られる。そして、ビデオメモリ８の中の静止画プレーン８−２に書き込まれる。このとき同時に、ＡＶデコーダ６によってＭＰＥＧ−２デコードされたテレビ映像データは、入力制御部１０１を介してグラフィック描画部１０２に送られてきても良い。そしてテレビ映像は、ビデオメモリ８−１の動画プレーンに書き込まれ、表示デバイス９への画像データ出力タイミングにあわせて、静止画プレーン８−２のものと同時に出力される。動画、静止画の各プレーンのデータをどの様に合成して出力するか、または、画像サイズを可変させて同時に表示するかは、グラフィック描画部１０２が、グラフィックプレーン制御部１０３の指示に従って行う（ステップＳ８１２）。
【００６０】
DISPINFOディレクトリをＣＰＵ１０が検知した場合は、DISPINFOディレクトリの下から自動表示ファイルを読み込む。そして[HDR]セクションのバージョンやセクション数（撮影枚数）をチェックした後、[TASK]セクションの階調ビット数（撮影時に作成された映像データのビット数）を読み込む（ステップＳ８０３）。
【００６１】
さらにＣＰＵ１０は、階調ビット数をバス制御部１０５を介して映像ビット検出部１０４に送る。映像ビット検出部１０４は、その階調ビット数が16以下であれば、現状のビデオメモリ制御状態を維持する（ステップＳ８０６）。ここでいうところの16ビットという値は、ＢＳデジタル放送があらかじめ推奨している、静止画プレーンの階調ビット数である。もし、撮影された映像が16ビットより大きい場合（表示デバイスとしては24や30ビットの階調表現能力がある場合）は、静止画プレーンを使用することができないため、動画プレーンに切り替える。ＢＳデジタル放送では、24ビット以上の階調ビットを動画プレーンでは管理できるため、階調ビットが16ビットを超える場合は、そのことをグラフィックプレーン制御部１０３に伝え、グラフィック描画部１０２に入力される撮影データは、動画ビデオプレーン８−１に入力されるようにする。このとき、テレビ映像と混合しないように、グラフィック制御部１０３は、入力制御部１０１に、ＡＶデコーダ６からのテレビ映像データの入力を禁止させる（ステップＳ８０７）。
【００６２】
ＣＰＵ１０は、自動表示ファイル内の画像・音声ファイル名とディレクトリ位置情報を読み込み、該当するファイルをメモリカード３５から読み取る（ステップＳ８０８、８０９）。そして、ＪＰＥＧデコードを行い、グラフィック処理部７に送る（ステップＳ８１１）。グラフィック処理部７は、静止画プレーン８−２に画像データを書き込み、表示デバイス９に表示データを送る（ステップＳ８１２）。このことにより、通常の撮影データよりもよりきめ細かいデータを表示させることが可能となる。
【００６３】
［リモコンを用いた表示最適化方法の実施形態］
上述した最適化は、ＣＰＵ１０が自動表示ファイル中の階調データをグラフィック処理部７に条件なしで送る説明を行ったが、上述した最適化表示を、特定のリモコンによってのみ行う実施形態について説明する。
【００６４】
ＣＰＵ１０は、階調ビットデータをグラフィック処理部７に送る前に、自動表示ファイルに格納されている自動表示リモコンボタンコードを読み込む。そして、ＣＰＵ１０内部のＲＡＭに記憶させる。そして、ＣＰＵ１０は、グラフィック処理部７に対して、特定リモコンボタンだけが最適化表示が可能であることを示すアイコン１０７（図１６）を送り、表示デバイス９に表示させる。ユーザは、表示デバイスファイルを登録するときに登録したリモコンボタン４０７を押すと、そのボタンコード赤外受光部インタフェース１４で受光され、コードはＣＰＵ１０に送られる。ＣＰＵ１０は、そのコードと先ほど自動表示ファイルから読み込んだ自動表示リモコンボタンコードとを比較し、一致した場合のみ、階調ビットデータをグラフィック処理部７に送る。これにより、ある特定のユーザにのみ、最適化表示を行わせることができる。図１６に、特定リモコンボタンによる最適化表示の画面例を示す。
【００６５】
［インターネットを用いた他の実施形態］
上述した説明では、デジタルカメラ３４で作成された画像・音声ファイルと、自動表示ファイルをメモリカード３５を介して、テレビ受信機１に渡していたが、これらファイルをインターネットを介して渡す実施形態に関して以下に説明する。図１７にその動作フローチャートを示す。
【００６６】
デジタルカメラ３４が、メモリカード３５に書き込まれた表示デバイス管理ファイルの[TASK]セクションの中の表示デバイスファイル数をフラッシュＲＯＭ２９に読み込む動作は、図１０で説明した部分と同じである。
【００６７】
次にフラッシュＲＯＭ２９に格納された表示デバイスパラメータに応じて、撮影した画像・音声ファイルと自動表示ファイルをユーザが選択したテレビ受信機１に転送する実施形態について説明する。また、デジタルカメラ３４の概観例を図１２に示す。
【００６８】
まず、ＣＰＵ２８は、コンソール３２−１の状態を検出し、自動表示撮影モードにユーザが設定しているかを検出する（ステップＳ９０１）。ユーザが自動表示撮影モードに設定してある場合は、ＣＰＵ２８は、フラッシュＲＯＭ２９に格納されている表示デバイスファイル情報の中から表示デバイス名を読み出し（ステップＳ９０２）、そのデータをグラフィックコントローラ２６を介して表示デバイス２７に表示する（ステップＳ９０３）。
【００６９】
次に、ＣＰＵ２８は、ユーザが操作するコンソールスイッチ３２−２の動作にあわせて、表示デバイス２７に表示した表示デバイス名のフォーカスを移動させる。表示デバイス名表示は、ファインダ３８内でもよい。デフォルトのフォーカス位置が希望の表示デバイスである場合は、上記コンソールスイッチの操作は必要ない（ステップＳ９０４）。
【００７０】
そして、ユーザが撮影を開始し、シャッタ３７を半押しした状態をＣＰＵ２８は検出し、そのときフォーカスが当たっている表示デバイスのデータをＣＰＵ２８は検出する（ステップＳ９０５）。そして、本実施形態では、選択された表示デバイスに関するデータの中から階調ビット数と、Ｘ，Ｙ方向の画素数、画素サンプリング指定データとＩＰアドレス情報を読み出す（ステップＳ９０６）。
【００７１】
そして、その読み出したデータに基づき、ＣＰＵ２８は、Ａ／Ｄ変換器２３のサンプリングクロックのタイミングとサンプリングビット数とエンコーダ２５の量子化部分を制御する（ステップＳ９０７）。もし、表示デバイスファイルの階調ビットデータが、通常（RGB各8ビット）より高い場合は、Ａ／Ｄ変換器２３のサンプリングビット数を高く（Ａ／Ｄ変換器内で動作させるコンパレータ数を増やす）するように制御する。また、画素サンプリングが、Ｙ：Ｃｂ：Ｃｒ＝４：２：２の場合は、Ａ／Ｄ変換器２３の輝度と色差データのサンプリング本とをあわせるように制御し、Ｙ：Ｃｂ：Ｃｒ＝４：２：０の場合は、各輝度サンプリングの中心に色差データのサンプリングが行われるように制御する。
【００７２】
また、表示デバイスのＸ，Ｙ方向の解像度がＶＧＡ（６４０×４８０）程度の低いものであった場合は、Ａ／Ｄ変換器２３のサンプリングクロックを落とし、またエンコーダ２５の圧縮率を高く設定する。逆に、表示デバイスのＸ，Ｙ方向の画素数がＵＧＡ（１６００×１２００）やハイビジョンテレビ（１９２０×１０８０）程度の高いものは、Ａ／Ｄ変換器２３のサンプリングクロックは最大にし、エンコーダの圧縮率はゼロ（非圧縮）もしくは低い値に制御する。ＣＰＵ２８はシャッタ３７が押されたことを確認する（ステップＳ９０８）。
【００７３】
次に、ＣＰＵ２８は、上記制御を行った映像データをメモリカード３５の中に書き込む。このときの撮影画像ファイルは、DCIMディレクトリ５０２の下の100ABCDEディレクトリ５０３の下に適当なファイル名をつけて書き込まれる（ステップＳ９０９）。一方、ＣＰＵ２８は、図１３に示したような、自動表示ファイル５０８を作成し、今撮影し、書き込んだ画像・音声ファイル名、ディレクトリ位置情報を書き込む。また、コンソール３２−１の撮影モード情報、選択した表示デバイスＩＤと表示デバイスに対応する自動表示リモコンボタンコード、撮影した階調ビット数を書き込む（ステップＳ９１０，９１１）。自動表示ファイルの構造例は上述した図１３と同様である。
【００７４】
次に、ＣＰＵ２８は、フラッシュＲＯＭ２９から読み出した対応するＩＰアドレスに基づき、上記条件で撮影した画像・音声ファイルと、自動表示ファイルをモデム３３を介して送信する（ステップＳ９１２）。転送プロトコルは、ＦＴＰでも、ＨＴＴＰでも良い。また、自動表示ファイルデータをＣＰＵ２８は、ＸＭＬに変換し、画像・音声ファイルをＪＰＥＧファイルとしてＸＭＬに組み込に、ＨＴＴＰプロトコルで転送しても良い。また、リモコン１５や他のポインティングデバイスで画像・音声ファイルを選択できるようにファイルにリンクするアンカーを記述しても良い。
【００７５】
一方、テレビ受信機１は蓄積部１３をサーバとして動作させ、インターネット１７を介してモデムルータ１６が表示デバイスファイルで設定したＩＰアドレスで送られてくるデータを受信する。そして、データが転送されたことをＣＰＵ１０はモデムルータ１６から検知し、蓄積部１３にＸＭＬファイルを蓄積する。
【００７６】
ＣＰＵ１０は、ＸＭＬブラウザアプリケーションソフトを起動し、蓄積部１３に蓄積されているＸＭＬファイルをデコードし、その描画データをグラフィック処理部７に送る。このときの表示デバイス９上で表示例を図１８に示す。
【００７７】
図１８の"画像ＩＤ＝１"は撮影された画像・音声ファイルとハイパーリンクされており、リモコン１５で選択することにより、リンクされた画像・音声ファイルを蓄積部１３から読み出しＪＰＥＧデコードを行う。そして、その画像データは、再びグラフィック処理部７に送られ表示デバイス９に表示される。その表示例を図１９に示す。
【００７８】
［圧縮方法を指定する他の実施形態］
次に、テレビ受信機１がサポートしている画像・音声圧縮デコーダに応じて、撮影時のエンコーダ方式を変更する実施形態について説明する。図２０にその動作フローチャートを示す。
【００７９】
まず、ＣＰＵ２８は、コンソール３２−１の状態を検出し、自動表示撮影モードにユーザが設定しているかを検出する（ステップＳ９５０）。ユーザが自動表示撮影モードに設定してある場合は、ＣＰＵ２８は、フラッシュＲＯＭ２９に格納されている表示デバイスファイル情報の中から表示デバイス名を読み出し（ステップＳ９５１）、そのデータをグラフィックコントローラ２６を介して表示デバイス２７に表示する（ステップＳ９５２）。次に、ＣＰＵ２８は、ユーザが操作するコンソールスイッチ３２−２の動作にあわせて、表示デバイス２７に表示した表示デバイス名のフォーカスを移動させる。表示デバイス名表示は、ファインダ３８内でもよい。デフォルトのフォーカス位置が希望の表示デバイスである場合は、上記コンソールスイッチの操作は必要ない（ステップＳ９５３）。
【００８０】
そして、ユーザが撮影を開始し、シャッタ３７を半押しした状態をＣＰＵ２８は検出し、そのときフォーカスが当たっている表示デバイスのデータをＣＰＵ２８は検出する（ステップＳ９５４）。そして、本実施形態では、選択された表示デバイスファイルに関するデータの中から画像圧縮指定、音声圧縮指定データを読み出す（ステップＳ９５５）。
【００８１】
そして、その読み出したデータに基づき、ＣＰＵ２８は、エンコーダ２５内のエンコードエンジンの切り替えを行う。または、あらかじめフラッシュＲＯＭ２９に格納されているソフトウェアエンコーダプログラムの中から指定されたエンコーダプログラムをダウンロードする（ステップＳ９５７）。
【００８２】
撮影のシャッタボタン３７が押されたことをＣＰＵ２８が検知すると、Ａ／Ｄ変換器２３から出力された画像データは、ＲＡＭ２４に一時格納され、エンコーダ２５により圧縮され、画像ファイルとしてメモリカード３５に格納される。また音声は、マイク３６にあるＡ／Ｄ変換器でデジタル化されたのち、エンコーダ２５で圧縮されメモリカード３５に格納される（ステップＳ９５９）。
【００８３】
また、ＣＰＵ２８は、メモリカード３５内に自動表示ファイルを作成するときに[TASK]セクション内に圧縮を行った画像圧縮コードと音声圧縮コードを書き込む（ステップＳ９６０）。この圧縮コードは、あらかじめデジタルカメラまたは、デジタルビデオカメラ３４とテレビ受信機１との間であらかじめ決められているものである。
【００８４】
テレビ受信機１は、メモリカード３５の自動表示ファイル内にある圧縮コードを検出した場合は認識した圧縮のデコードを行う。また、ＣＰＵ２８が、表示デバイスに格納されていた画像・音声圧縮指定のエンコードを用意できない場合は、グラフィックコントローラ２６に対し、"指定した表示デバイスで表示できる撮影はできません"等のメッセージデータを送る（ステップＳ９６２）。グラフィックコントローラ２６は、表示デバイス２７にそのデータを表示させ、再度表示デバイスをユーザに指定させる。
【００８５】
ここで、デジタルカメラや、デジタルビデオカメラで用いられる画像・音声の圧縮方式と、テレビ受信機がデジタル放送を受信するために用いる圧縮方式が必ずしも一致していないため、デジタルカメラやデジタルビデオカメラで撮影したデジタルデータをそのままテレビで表示させることができないケースが多々ある。これに対し、本実施形態では、テレビ受信機に対応した圧縮方式でデータ圧縮処理を行っているため、テレビ受信機とデジタルカメラとの間で圧縮方式が一致しないことを原因に、テレビ受信機でデータ表示が行えなくなることを回避することが可能となる。
【００８６】
［無線を用いた表示デバイスデータ転送実施形態］
図２１にメモリカード３５に無線の送受信モジュール３９を接続した場合のブロック図を示す。テレビ受信機１には、無線の送受信を行う無線インタフェース４０が搭載される。この無線モジュールは、モジュール３９のディスカバリ処理、転送先、受けのアドレス設定によるコネクション、データ転送を確認して転送する転送プロトコルを具備している。転送されたデータは、ＣＰＵ２８とＣＰＵ１０との間でそれぞれの無線モジュール、インタフェースを介して転送される。
【００８７】
この実施形態では、表示デバイスの登録は、メモリカード３５をテレビ受信機１に挿入するのではなく、メモリカード３５と無線モジュール３９が無線インタフェース４０に近づき、ディスカバリ処理によりお互いの識別がなされたときに開始される。
【００８８】
無線インタフェース４０と無線モジュール３９は、次にコネクション処理を行い、それぞれのバッファ領域のアドレスを指定しあう。そして、そのアドレスに転送データを付加して送受信を行う。
【００８９】
ＣＰＵ１０は、ディスカバリ処理が確認されると、グラフィック処理部７に既に「表示デバイス情報の登録方法」で説明した方法と同様に登録画面を送り表示する。そしてユーザのリモコン１５による制御で表示デバイス情報が、無線インタフェース４０、無線モジュール３９を介してメモリカード３５に書き込まれる。また、メモリカード３５が、デジタルカメラ３４に挿入されている場合は、表示デバイス情報は、メモリカード３５ではなく、直接フラッシュＲＯＭ２９に書き込んでも良い。また、デジタルカメラ３４で撮影した画像・音声ファイル、自動表示ファイルのテレビ受信機１への転送も上記説明と同様に行う。無線の方式は、Bluetoothでも、IEEE802.11でIEEE1394無線でも良い。
【００９０】
上記実施形態によれば、デジタル放送を受信できる高機能なテレビを用いてデジタルカメラ等のデジタル画像データ表示させるシステムにおいて、テレビに使用する表示デバイスの解像度特性や、階調ビット数、映像サンプリング条件に応じて、撮影条件変更して撮影できるデジタルカメラやデジタルビデオカメラを実現することができる。
【００９１】
また、それら撮影機器で撮影した画像データを表示デバイスの性能を十分に活かせる表示が可能となる。また、デジタルカメラや、デジタルビデオカメラで用いられる画像・音声の圧縮方式と、テレビ受信機がデジタル放送を受信するために用いる圧縮方式が一致していない場合でも事前に撮影時に対応が可能となり、後で表示フォーマット変更等の手間が要らなくなる。
【００９２】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００９３】
この場合、記憶媒体から読み出されたプログラムコード自体が前述した実施形態の機能を実現することになり、プログラムコード自体及びそのプログラムコードを記憶した記憶媒体は本発明を構成することになる。
【００９４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００９５】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００９６】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００９７】
【図１】本発明の一実施形態に係る撮影システムの構成を示したブロック図である。
【図２】表示デバイス情報の登録方法の流れを示したフローチャートである。
【図３】登録画面表示例を示した図である。
【図４】登録画面表示例を示した図である。
【図５】登録画面表示例を示した図である。
【図６】登録画面表示例を示した図である。
【図７】リモコンの外観構成例を示した図である。
【図８】表示デバイスファイルのディレクトリ構成を示した図である。
【図９】表示デバイスファイル構造と表示デバイス管理ファイル構造を示した図である。
【図１０】表示デバイスファイルに基づく撮影条件の制御動作を示したフローチャートである。
【図１１】表示デバイスファイルに基づく撮影条件の制御動作を示したフローチャートである。
【図１２】デジタルカメラの外観構成例を示した図である。
【図１３】自動表示ファイルの構成を示した図である。
【図１４】自動表示ファイルに基づく表示最適化方法の流れを示したフローチャートである。
【図１５】グラフィック処理部の内部構成を示した図である。
【図１６】最適化表示実行画面の一例を示した図である。
【図１７】ファイルをインターネットを用いてテレビ受信機に渡す処理の流れを示したフローチャートである。
【図１８】ＸＭＬブラウザアプリケーションソフトによる画面表示例を示した図である。
【図１９】ＸＭＬブラウザアプリケーションソフトによる画面表示例を示した図である。
【図２０】圧縮方法を制御する動作の流れを示したフローチャートである。
【図２１】無線インタフェースを用いた場合のシステム構成を示した図である。
【符号の説明】
【００９８】
１  テレビ受信機またはパーソナルコンピュータ
２  アンテナ
３  チューナ
４  バス
５  デマルチプレクサ
６  ＡＶデコーダ
７  グラフィック処理部
８  ビデオメモリ
９、２７  表示デバイス
１０、２８  ＣＰＵ
１１、２９  フラッシュＲＯＭ
１２、３０  カードインタフェース
１３  蓄積部
１４  赤外線受光部インタフェース
１５  リモコン
１６  モデムルータ
１７  インターネット
２０  レンズ
２１  ＣＣＤ
２２  利得調整部
２３  Ａ／Ｄ変換器
２４  ＲＡＭ
２５  エンコーダ
２６  グラフィックコントローラ
３１  シリアルインタフェース
３２  コンソール
３３  モデム
３４  デジタルカメラまたはデジタルビデオカメラ
３５  メモリカード
３６  マイク
３７  シャッタ
３８  ファインダ
３９  無線送受信モジュール
４０  無線インタフェース
【図１】
2005039737.tif 000003
【図２】
2005039737.tif 000004
【図３】
2005039737.tif 000005
【図４】
2005039737.tif 000006
【図５】
2005039737.tif 000007
【図６】
2005039737.tif 000008
【図７】
2005039737.tif 000009
【図８】
2005039737.tif 000010
【図９】
2005039737.tif 000011
【図１０】
2005039737.tif 000012
【図１１】
2005039737.tif 000013
【図１２】
2005039737.tif 000014
【図１３】
2005039737.tif 000015
【図１４】
2005039737.tif 000016
【図１５】
2005039737.tif 000017
【図１６】
2005039737.tif 000018
【図１７】
2005039737.tif 000019
【図１８】
2005039737.tif 000020
【図１９】
2005039737.tif 000021
【図２０】
2005039737.tif 000022
【図２１】
2005039737.tif 000023